(57)【要約】      （修正有）【課題】  外部動力を必要とすることなく、自動で測定テープの繰り出しおよび引き込みを行うことができる。【解決手段】  繰出し方向に付勢される測定テープ１ｅを巻回する軸１ａに支持されたテープリール１と、テープリール１に回転伝達可能に設けられ且つそのテープリール１の測定テープ１ｅを巻込み方向に付勢するコイルバネ２ｅを備える軸２ａに支持された回転ドラム２とから構成されており、テープリール１には小径歯車１ｂと大径歯車１ｃの歯車、また、回転ドラム２には小径歯車２ｂと大径歯車２ｃの歯車が形成される。その小径と大径の歯車は、テープリール１の大径歯車１ｃと回転ドラム２の小径歯車２ｂとの第１歯合、また、テープリール１の小径歯車１ｂと回転ドラム２の大径歯車２ｃとの第２歯合ができ、その第１歯合または第２歯合にすることによってテープリール１の測定テープ１ｅの復帰力と回転ドラム２のコイルバネ２ｅの付勢力の優劣が逆転する。【選択図】  図３８
2006058167.tif 000002
【特許請求の範囲】
【請求項１】
略直線状に復帰できる任意の部材によって形成された測定テープを巻回する回転自在に支持されたテープリールと、テープリールの測定テープを巻込み方向に付勢する付勢手段を備える回転自在に支持された回転ドラムとからなり、前記テープリールと回転ドラムは任意の回転伝達手段によって回転伝達可能に設けられており、また、その回転伝達手段によってテープリールと回転ドラムの回転比率を変化させ、テープリールに巻回される測定テープの繰出し付勢力が回転ドラムの付勢手段の付勢力より勝る回転伝達形態と、回転ドラムの付勢手段の付勢力がテープリールに巻回される測定テープの繰出し付勢力より勝る回転伝達形態のいずれかを任意の選択手段によって選択することにより、テープリールに巻回されている測定テープの繰出しまたは巻取りが行われる巻尺であって、前記測定テープは、制動手段によって巻尺ケースから任意の引き出し位置で停止できることを特徴とする巻尺
【請求項２】
前記回転伝達手段が歯車であって、テープリールと回転ドラムにはその回転方向に直交して任意の歯数の大径と小径の２個の歯車が形成されており、テープリールと回転ドラムの回転伝達は、テープリールの大径の歯車と回転ドラムの小径の歯車との第１歯合またはテープリールの小径の歯車と回転ドラムの大径の歯車との第２歯合によって行われ、その第１歯合または第２歯合にすることによってテープリールの測定テープの復帰力と回転ドラムの付勢手段の付勢力の優劣が逆転するようになっていることを特徴とする請求項１の巻尺
【請求項３】
前記第１歯合または第２歯合は、歯車が軸方向に移動することによって行われることを特徴とする請求項２の巻尺
【請求項４】
前記テープリールは、回転ドラムの歯車と歯合する歯車部と、測定テープを巻回する回転胴部とからなり、歯車部は回転胴部と回転伝達可能に且つ軸方向に移動できるように構成されていることを特徴とする請求項２の巻尺
【請求項５】
前記回転ドラムは、テープリールの歯車と歯合する歯車部と、付勢手段を収容する回転収容部とからなり、歯車部は回転収容部と回転伝達可能に且つ軸方向に移動できるように構成されていることを特徴とする請求項２の巻尺
【請求項６】
前記回転ドラムは、大径の歯車の内部に付勢手段が収容されていることを特徴とする請求項２の巻尺
【請求項７】
前記テープリールおよび回転ドラムに少なくとも３つ以上の歯車が形成されていることを特徴とする請求項２の巻尺
【請求項８】
略直線状に復帰できる任意の部材によって形成された測定テープを巻回する回転自在に支持されたテープリールと、テープリールの測定テープを巻込み方向に付勢する付勢手段を備える回転自在に支持された回転ドラムとからなり、前記テープリールと回転ドラムは任意の回転伝達手段によって回転伝達可能に設けられており、さらに、任意の回転比率変化手段によってテープリールと回転ドラムの回転比率を変えて、テープリールに巻回される測定テープの繰出し付勢力が回転ドラムの付勢手段の付勢力より勝る回転伝達形態と、回転ドラムの付勢手段の付勢力がテープリールに巻回される測定テープの繰出し付勢力より勝る回転伝達形態のいずれかを任意の選択手段によって選択することにより、テープリールに巻回されている測定テープの繰出しまたは巻取りが行われる巻尺であって、前記測定テープは、制動手段によって巻尺ケースから任意の引き出し位置で停止できることを特徴とする巻尺
【請求項９】
前記測定テープは、その全部がケース内に巻取り収容されていることを特徴とする請求項１または請求項８の巻尺
【請求項１０】
前記制動手段が、測定テープの一方の面に接触する接触部材と、接触部材が接触する際にその接触面の反対となる測定テープの他面を受け支える受支部材と、接触部材を巻尺ケースの外方から操作でき且つ巻尺ケースの任意の部位に設けた操作部材からなることを特徴とする請求項１または請求項８の巻尺
【請求項１１】
前記受支部材は、巻尺ケースに任意の形状に形成された成形部または巻尺ケースの内壁であることを特徴とする請求項１０の巻尺
【請求項１２】
前記操作部材は、スライド可能に設けられており、操作部材のスライド操作によって接触部材が測定テープに接触して制動が掛かり、また、反対方向にスライドさせることによって接触部材が測定テープから離れて制動が解除されることを特徴とする請求項１０の巻尺
【請求項１３】
前記操作部材は、制動方向にスライドさせた際にそのスライドが停止する位置付近でロックし、その他の位置にある時は自動的に元の位置に復帰するようになっていることを特徴とする請求項１２の巻尺
【請求項１４】
前記操作部材は、軸と、軸の遠心方向に突出するアームを有するレバー部材からなり、アームを一方の方向に回転させることによって接触部材が測定テープに接触して制動が掛かり、また、反対方向に回転させることによって接触部材が測定テープから離れて制動が解除されることを特徴とする請求項１０の巻尺
【請求項１５】
前記レバー部材は、制動方向に回転させた際にその回転が停止する位置付近でロックし、その他の位置にある時は自動的に元の位置に復帰するようになっていることを特徴とする請求項１４の巻尺
【請求項１６】
前記制動手段が、テープリールまたは回転ドラムの周回部位に接触する接触部材と、接触部材を巻尺ケースの外方から操作でき且つ巻尺ケースの任意の部位に設けた操作部材からなることを特徴とする請求項１または請求項８の巻尺
【請求項１７】
前記操作部材は、スライド可能に設けられており、操作部材のスライド操作によって接触部材がテープリールまたは回転ドラムの周回部位に接触して制動が掛かり、また、反対方向にスライドさせることによって接触部材がテープリールまたは回転ドラムの周回部位から離れて制動が解除されることを特徴とする請求項１６の巻尺
【請求項１８】
前記操作部材は、制動方向にスライドさせた際にそのスライドが停止する位置付近でロックし、その他の位置にある時は自動的に元の位置に復帰するようになっていることを特徴とする請求項１７の巻尺
【請求項１９】
前記操作部材は、軸と、軸の遠心方向に突出するアームを有するレバー部材からなり、アームを一方の方向に回転させることによって接触部材がテープリールまたは回転ドラムの周回部位に接触して制動が掛かり、また、反対方向に回転させることによって接触部材がテープリールまたは回転ドラムの周回部位から離れて制動が解除されることを特徴とする請求項１６の巻尺
【請求項２０】
前記レバー部材は、制動方向に回転させた際にその回転が停止する位置付近でロックし、その他の位置にある時は自動的に元の位置に復帰するようになっていることを特徴とする請求項１９の巻尺
【請求項２１】
前記制動手段が、テープリールまたは回転ドラムの任意の部位に設けられているディスクに接触する接触部材と、接触部材を巻尺ケースの外方から操作でき且つ巻尺ケースの任意の部位に設けた操作部材からなることを特徴とする請求項１または請求項８の巻尺
【請求項２２】
前記制動手段が、テープリールまたは回転ドラムを支持し且つテープリールまたは回転ドラムと共に回転する支持部材に設けられているディスクに接触する接触部材と、接触部材を巻尺ケースの外方から操作でき且つ巻尺ケースの任意の部位に設けた操作部材からなることを特徴とする請求項１または請求項８の巻尺
【請求項２３】
前記接触部材は、ディスクを挟むように設けられていることを特徴とする請求項２１または請求項２２の巻尺
【請求項２４】
前記操作部材は、スライド可能に設けられており、操作部材のスライド操作によって接触部材がディスクに接触して制動が掛かり、また、反対方向にスライドさせることによって接触部材がディスクから離れて制動が解除されることを特徴とする請求項２１または請求項２２の巻尺
【請求項２５】
前記操作部材は、制動方向にスライドさせた際にそのスライドが停止する位置付近でロックし、その他の位置にある時は自動的に元の位置に復帰するようになっていることを特徴とする請求項２４の巻尺
【請求項２６】
前記操作部材は、軸と、軸の遠心方向に突出するアームを有するレバー部材からなり、アームを一方の方向に回転させることによって接触部材がディスクに接触して制動が掛かり、また、反対方向に回転させることによって接触部材がディスクから離れて制動が解除されることを特徴とする請求項２１または請求項２２の巻尺
【請求項２７】
前記レバー部材は、制動方向に回転させた際にその回転が停止する位置付近でロックし、その他の位置にある時は自動的に元の位置に復帰するようになっていることを特徴とする請求項２６の巻尺
【請求項２８】
前記制動手段が、テープリールまたは回転ドラムの任意の部位に設けられている凹部に係嵌可能な係嵌部材と、係嵌部材を巻尺ケースの外方から操作でき且つ巻尺ケースの任意の部位に設けた操作部材からなることを特徴とする請求項１または請求項８の巻尺
【請求項２９】
前記凹部は、テープリールまたは回転ドラムの周回部位に設けられていることを特徴とする請求項２８の巻尺
【請求項３０】
前記制動手段が、テープリールまたは回転ドラムの任意の部位に設けたディスクの任意の部位に設けられている凹部に係嵌可能な係嵌部材と、係嵌部材を巻尺ケースの外方から操作でき且つ巻尺ケースの任意の部位に設けた操作部材からなることを特徴とする請求項１または請求項８の巻尺
【請求項３１】
前記制動手段が、テープリールまたは回転ドラムを支持し且つテープリールまたは回転ドラムと共に回転する支持部材に設けたディスクの任意の部位に設けられている凹部に係嵌可能な係嵌部材と、係嵌部材を巻尺ケースの外方から操作でき且つ巻尺ケースの任意の部位に設けた操作部材からなることを特徴とする請求項１または請求項８の巻尺
【請求項３２】
前記凹部は、ディスクの周回部位に設けられていることを特徴とする請求項３０または請求項３１の巻尺
【請求項３３】
前記操作部材は、スライド可能に設けられており、操作部材のスライド操作によって係嵌部材の係嵌部位が凹部に係嵌してロックが掛かり、また、反対方向にスライドさせることによって係嵌部材の係嵌部位が凹部から外れてロックが解除されることを特徴とする請求項２８または請求項３０または請求項３１の巻尺
【請求項３４】
前記操作部材は、制動方向にスライドさせた際に係嵌部材の係嵌部位が凹部に係嵌する位置でそのスライドがロックし、その他の位置にある時は自動的に元の位置に復帰するようになっていることを特徴とする請求項３３の巻尺
【請求項３５】
前記操作部材は、軸と、軸の遠心方向に突出するアームを有するレバー部材からなり、アームを一方の方向に回転させることによって係嵌部材の係嵌部位が凹部に係嵌してロックが掛かり、また、反対方向に回転させることによって係嵌部材の係嵌部位が凹部から外れてロックが解除されることを特徴とする請求項２８または請求項３０または請求項３１の巻尺
【請求項３６】
前記レバー部材は、制動方向に回転させた際に係嵌部材の係嵌部位が凹部に係嵌する位置でその回転がロックし、その他の位置にある時は自動的に元の位置に復帰するようになっていることを特徴とする請求項３５の巻尺
【請求項３７】
前記制動手段が、巻尺を構成する任意の部材に設けられた係合部と、係合部に係合する係合部材と、係合部材を操作する操作手段からなり、その操作手段は回転伝達形態を選択する選択手段と兼用されており、選択手段を所定の位置にすることによって係合部材が係合部に係合され、測定テープが停止することを特徴とする請求項１または請求項８の巻尺
【請求項３８】
前記係合部材が、回転伝達手段を構成する任意の歯車であることを特徴とする請求項３７の巻尺
【請求項３９】
係合部材が係合部に係合される選択手段の所定の位置が、選択手段の移動範囲の中程の位置にあることを特徴とする請求項３７の巻尺
【発明の詳細な説明】
【技術分野】
【０００１】
本発明は、巻尺に関し、特に測定テープの繰り出しおよび引き込みを電気モーターを使用することなく行うことができる巻尺に関するものである。
【背景技術】
【０００２】
従来、巻尺は、周囲に測定テープを巻回し且つその測定テープを巻き取り方向に付勢するコイルバネを内装した回転ドラムがケース内に設けられており、測定の際には、回転ドラムに巻回されている測定テープを人の手により任意の長さ引き出すと共に、ブレーキによって引き出した位置に停止させて測定している。
そして、測定を終えブレーキを解除することにより、引き出された測定テープはコイルバネの付勢力によって自動的に回転ドラムに巻き取られる。
【発明の開示】
【発明が解決しようとする課題】
【０００３】
しかして、この巻尺によって比較的短い寸法を立て続けに何回も測定する場合は、次のような測定動作が繰り返して何回も行われる。
その動作は、人が手によってケース内から測定テープを例えば１メートル程度引き出し、ブレーキを操作して引き出した測定テープをその位置に停止させ、寸法測定を開始する。そして、測定の終了と共にブレーキを解除し、測定テープをケース内に引き込ませる。この動作が繰り返し何回も行われるのである。
【０００４】
この時、ケースから引き出された測定テープは、寸法測定を行い易くするためにブレーキによって引き出した位置に停止させるので、1回の測定作業に付き、指によるブレーキ操作は２回行われる。このブレーキ操作は、引き出した測定テープを巻き取り付勢力に抗してその位置に停止させる力を掛けるので、その操作にはある程度の力が必要となるために指に掛かる負担は相当なものになる。
【０００５】
そして、上述の操作となる測定場所は狭い所が多く、測定テープの損傷防止のため、測定テープは一度ケース内に収納して場所を移動しなければならず、ブレーキ操作のために指に掛かる負担もさることながら、測定テープの出し入れをするのが非常に面倒であった。
従って、本発明は上述した問題点に鑑みてなされたもので、外部動力を必要とすることなく、自動で測定テープの繰り出しおよび引き込みを行うことができ、且つ巻尺ケースから繰り出された測定テープが任意の位置で停止する巻尺を提供することを目的とするものである。
【課題を解決するための手段】
【０００６】
本発明の要旨とするところは、  略直線状に復帰できる任意の部材によって形成された測定テープを巻回する回転自在に支持されたテープリールと、テープリールの測定テープを巻込み方向に付勢する付勢手段を備える回転自在に支持された回転ドラムとからなり、前記テープリールと回転ドラムは任意の回転伝達手段によって回転伝達可能に設けられており、また、その回転伝達手段によってテープリールと回転ドラムの回転比率を変化させ、テープリールに巻回される測定テープの繰出し付勢力が回転ドラムの付勢手段の付勢力より勝る回転伝達形態と、回転ドラムの付勢手段の付勢力がテープリールに巻回される測定テープの繰出し付勢力より勝る回転伝達形態のいずれかを任意の選択手段によって選択することにより、テープリールに巻回されている測定テープの繰出しまたは巻取りが行われる巻尺であって、前記測定テープは、制動手段によって巻尺ケースから任意の引き出し位置で停止できることを特徴とする巻尺である。
【０００７】
本発明の巻尺を詳しく説明すると、テープリールには寸法測定用の任意の目盛りが表示されている測定テープが巻回され、その測定テープ（繰出し方向に付勢される略直線状に復帰できる任意の部材によって形成された測定テープ用部材）は、内端をテープリールの任意の部位に固定されている。そして、測定テープの巻回方向は、回転ドラムの付勢手段の付勢方向と逆の方向に繰出すように巻回する。また、テープリールは回転自在に支持すればよい。
測定テープとは、少なくとも測定用の目盛りが表示され、且つ巻回された形状から略直線的に復帰（戻る）することができる部材を指すものであり、この復帰ができるように形成されているものであればどのような部材であってもよい。また、その測定テープの断面形状においても特に限定するものではなく、平面または湾曲状さらには略Ｖ字状などにしてもよい。さらに、測定テープの形成素材も特に限定するものではなく、普通に用いられる巻尺用のテープ材（任意の焼入れ鋼等）を用いてもよい。
【０００８】
測定テープは、通常の巻尺と同様にケースの任意の部位に形成した測定テープの出入口から出入できるように構成してもよい。その場合、測定テープがその出入口へ案内されるようにする。その構造も特に限定するものではなく、例えば、ガイドを配置してそのガイドによって測定テープを出入口まで案内させてもよい。
その測定テープは、先端に取り付けられている係止片をケースの外部から引き出し可能に、ケースの測定テープの出入口に位置させてもよいが、係止片を含めてその全部をケース内に収容してもよい。
また、測定テープの繰出し長さはストッパー等の適当な抑制部材によって所望の長さとなるように設定すればよい。
そして、テープリールの回転自在な支持は、テープリールが回転面の中心を軸に回転できるように支持されていればよい。例えば、軸支でもよい。
【０００９】
回転ドラムは付勢手段を備えており、また、回転自在に支持されている。その付勢手段は、回転ドラムに回転伝達可能に並設した収容部に収容したり、あるいは、回転ドラムの本体内部に収容部を形成し、その収容部内に配置してもよい。
付勢手段とは、回転ドラムを一方の方向に回転させようとする力を得るためのもので、この力を得ることができればどのような部材から形成されたものであってもよい。回転ドラムの回転方向は、回転ドラムに回転伝達可能に設けられたテープリールに巻回する測定テープを常に巻き込む方向となる方向である。
そして、回転ドラムの回転自在な支持は、回転ドラムが回転面の中心を軸に回転できるように支持されていればよい。例えば、軸支でもよい。
【００１０】
前述の付勢手段の具体的なものとしては、バネ部材が適しており、そのバネ部材も特に限定するものではないが、任意の素材から形成されたコイルバネが望ましい。また、スプリングバネ等を用いてもよい。そして、所望の復帰力となる製品（部材）を選定して用いればよい。
バネ部材を用いる場合は、一端を回転ドラムが支持される軸等の部材に取り付け、他端を回転ドラムの任意の部位に取り付ければよい。その取り付けは取付部からバネ部材が外れなければよく、引掛けでもまた固定でもよい。
【００１１】
そして、テープリールと回転ドラムは、任意の回転伝達手段によって回転伝達可能に設けられる。具体的には、歯車を主に回転伝達機構を構成して回転を伝達してもよい。あるいは、ベルトやシャフトを主に回転伝達機構を構成して回転を伝達してもよい。そのベルトも特に限定するものではなく、丸ベルトやタイミングベルト等を用いてもよい。
【００１２】
さらに、その回転伝達は、回転比率を変化させることによってテープリールに巻回される測定テープの繰出し付勢力が回転ドラムの付勢手段の付勢力より勝る回転伝達形態と、回転ドラムの付勢手段の付勢力がテープリールに巻回される測定テープの繰出し付勢力より勝る回転伝達形態とする。その回転比率の変化は任意の方法また構造によって行えばよく、例えば、テープリールと回転ドラムとの回転伝達手段を回転比率を変化できる構造にしてもよい。具体的には、大小の歯車の組合せ等によって行えばよい。
【００１３】
また、回転比率の変化を回転伝達手段によって行うのではなく、回転伝達手段は単に回転を伝達するものとし、回転比率の変化は別に設けた任意の回転比率変化手段によって行ってもよい。そして、回転比率変化手はテープリールおよび／または回転ドラムに直接的にまたは間接的に設けたり、また、回転伝達手段とテープリールの間および／または回転伝達手段と回転ドラムの間に設けてもよい。
【００１４】
回転比率の変化を大小の歯車の組合せによって行う場合は、テープリールと回転ドラム体にその回転方向に直交して任意の歯数の大径と小径の２個の歯車を並設して形成すればよい。
その回転伝達を行わせる各歯車の組合せとしては、テープリールの大径の歯車と回転ドラムの小径の歯車との第１歯合と、テープリールの小径の歯車と回転ドラムの大径の歯車との第２歯合となるようにする。第１歯合は、測定テープが巻取られた状態を維持するもので、第２歯合は、測定テープを繰出す状態となる。
【００１５】
前述の歯車の形成に際しその具体的な方法は、歯車の歯の形成部位を断面凸状に形成し、凸状の大径部と小径部の周囲に歯を形成してもよい。また、大径の歯車と小径の歯車を別体で形成し、回転軸を中心として任意の方法によって並列状に固定してもよい。
そして、その大径の歯車と小径の歯車は、テープリールの大径の歯車と回転ドラムの小径の歯車との第１歯合またはテープリールの小径の歯車と回転ドラムの大径の歯車との第２歯合ができる位置関係であれば、任意の隙間をもって設けられてもよい。
【００１６】
テープリールおよび回転ドラムに形成される歯車の歯数は、前述の第１歯合または第２歯合による測定テープの巻回部位からの繰出しまたは巻回部位への巻回動作等を考慮して選定すればよい。すなわち、進退機構を用いるものに合わせて歯車比を設定すればよい。
そして、テープリールおよび回転ドラムに形成する歯車は、上述のように大径と小径の２個の歯車を形成してもよいが、進退動作の動作形態（段階的動作）によっては異なる径の歯車を任意の数形成してもよい。
【００１７】
テープリールの大径の歯車と回転ドラムの小径の歯車との第１歯合、または、テープリールの小径の歯車と回転ドラムの大径の歯車との第２歯合は、任意の方法や機構によって行えばよく、特にその方法や機構を限定するものではないが、具体的には、テープリールまたは回転ドラムを、その歯車が支持されている軸上を軸方向に移動させてもよい。
【００１８】
そのテープリールまたは回転ドラムの軸上移動は、例えば、テープリールまたは回転ドラムの両側に、それぞれ直接的にまたは間接的に接続したボタンの頭部をケースの外に突出させて、そのボタンの頭部を押し込むことによってテープリールまたは回転ドラムを移動させてもよい。勿論、この方法だけに限定するものではなく公知の技術を用いてもよい。
【００１９】
また、テープリールの測定テープの巻回部位を移動させないためには、テープリールに形成した大径および小径の歯車だけを移動させてもよい。この場合は、テープリールを回転ドラムの歯車と歯合する歯車部と、測定テープを巻回する回転胴部から構成し、歯車部と回転胴部を同軸上に回転自在に軸支し、そして、歯車部は回転胴部に回転伝達可能に軸方向に移動できるようにすることで、回転胴部が歯車部の動きに同調しないようにできる。
回転胴部は、任意の方法によって同一位置で回転できるように回転自在に保持しなければならない。そして、歯車部が回転胴部に回転伝達できるようにする方法も何でもよく、公知の構造によって行えばよい。
【００２０】
あるいは、回転ドラムをテープリールの歯車と歯合する歯車部と、付勢手段を収容する回転収容部とから構成し、上述のテープリールと同様に、歯車部と回転収容部を同軸上に回転自在に軸支し、そして、歯車部は回転収容部に回転伝達可能に軸方向に移動できるようにすることで、回転収容部が歯車部の動きに同調しないようにしてもよい。
回転収容部は、任意の方法によって同一位置で回転できるように回転自在に保持しなければならない。そして、歯車部が回転収容部に回転伝達できるようにする方法も何でもよく、公知の構造によって行えばよい。
【００２１】
さらに、本発明の巻尺には巻尺ケースから繰り出されている測定テープを任意の位置で停止できる制動手段が設けられている。すなわち、前述の測定テープとコイルバネ等の付勢手段を形成する部材の選定によっては測定テープが巻尺ケースから繰出される長さは相当な長さになるので、所望の位置で測定テープを停止（固定）させるために設けるものである。その制動手段も特に限定するものではないが、本発明の巻尺に適する形態の制動手段として、その具体的なものを以下に説明する。
【００２２】
制動手段を、測定テープの一方の面に接触する接触部材と、接触部材が接触する際にその接触面の反対となる測定テープの他面を受け支える受支部材と、接触部材を巻尺ケースの外方から操作でき且つ巻尺ケースの任意の部位に設けた操作部材から構成してもよい。
接触部材とは、測定テープの移動速度を減速さらには停止させるように作用するもので、測定テープの一方の面、例えば、測定用の任意の目盛りが通常表示される面（測定テープが断面弧状の場合の湾曲内面）に接触する。
受支部材とは、測定テープと接触部材との接触状態を確保するもので、接触部材による制動が測定テープに掛かった際、測定テープの接触部材が接触する面と反対の面を支えるものである。
操作部材とは、接触部材を測定テープに接触させて測定テープに制動を掛ける際に操作する部材である。
【００２３】
そして、接触部材と操作部材は隣合せに設けたり、また、連結部材やアーム等の任意の部材を介在させて設けてもよい。その形態は、巻尺の構造や操作部材の巻尺ケースへの設置位置によって決定すればよい。さらには、接触部材と操作部材を一体的に形成（成型）してもよい。また、素材においても特に限定するものではない。接触部材はその全体を同一素材で形成してもよいが、測定テープと接触する部位に別素材からなる部材を設けてもよい。例えば、シュー等である。
受支部材は、巻尺ケース内に任意の形状にまた任意の数を形成したり、あるいは、巻尺ケースの内壁を利用してもよい。
【００２４】
操作部材の操作形態としては、操作部材をスライド可能に設けて、操作部材のスライド操作によって接触部材が測定テープに接触して制動が掛かるようにし、また、操作部材を反対方向にスライドさせることによって接触部材が測定テープから離れて制動が解除されるようにしてもよい。
また、上述のように操作している時だけ制動が掛かるようにしたり、操作部材を制動方向にスライドさせた際、そのスライドが停止する位置付近で操作部材がロックされ、測定テープがその位置で停止（固定）されるようにしてもよい。さらに、操作部材がその他の位置すなわちロックされる位置以外にある時は、操作部材が自動的に元の位置に復帰するようにしてもよい。
【００２５】
他の操作部材の操作形態としては、操作部材を軸と、軸の遠心方向に突出するアームを有するレバー部材から構成して、操作部材のアームを一方の方向に回転操作することによって接触部材が測定テープに接触して制動が掛かるようにし、また、操作部材のアームを反対方向に回転操作することによって接触部材が測定テープから離れて制動が解除されるようにしてもよい。
また、上述のように操作している時だけ制動が掛かるようにしたり、レバー部材を制動方向に回転させた際、その回転が停止する位置付近でレバー部材がロックされ、測定テープがその位置で停止（固定）されるようにしてもよい。さらに、レバー部材がその他の位置すなわちロックされる位置以外にある時は、レバー部材が自動的に元の位置に復帰するようにしてもよい。
【００２６】
制動手段を、テープリールまたは回転ドラムの周回部位に接触する接触部材と、接触部材を巻尺ケースの外方から操作でき且つ巻尺ケースの任意の部位に設けた操作部材から構成してもよい。
接触部材とは、測定テープの移動速度を減速さらには停止させるように作用するもので、テープリールまたは回転ドラムの周回部位、すなわち、テープリールまたは回転ドラムの最外の部位となる周縁や周回面に接触する。
操作部材とは、接触部材を測定テープに接触させて測定テープに制動を掛ける際に操作する部材である。
【００２７】
そして、接触部材と操作部材は隣合せに設けたり、また、連結部材やアーム等の任意の部材を介在させて設けてもよい。その形態は、巻尺の構造や操作部材の巻尺ケースへの設置位置によって決定すればよい。さらには、接触部材と操作部材を一体的に形成（成型）してもよい。また、素材においても特に限定するものではない。接触部材はその全体を同一素材で形成してもよいが、テープリールまたは回転ドラムと接触する部位に別素材からなる部材を設けてもよい。例えば、シュー等である。
【００２８】
操作部材の操作形態としては、操作部材をスライド可能に設けて、操作部材のスライド操作によって接触部材がテープリールまたは回転ドラムの周回部位に接触して制動が掛かるようにし、また、操作部材を反対方向にスライドさせることによって接触部材がテープリールまたは回転ドラムの周回部位から離れて制動が解除されるようにしてもよい。
また、上述のように操作している時だけ制動が掛かるようにしたり、操作部材を制動方向にスライドさせた際、そのスライドが停止する位置付近で操作部材がロックされ、測定テープがその位置で停止（固定）されるようにしてもよい。さらに、操作部材がその他の位置すなわちロックされる位置以外にある時は、操作部材が自動的に元の位置に復帰するようにしてもよい。
【００２９】
他の操作部材の操作形態としては、操作部材を軸と、軸の遠心方向に突出するアームを有するレバー部材から構成して、操作部材のアームを一方の方向に回転操作することによって接触部材がテープリールまたは回転ドラムの周回部位に接触して制動が掛かるようにし、また、操作部材のアームを反対方向に回転操作することによって接触部材がテープリールまたは回転ドラムの周回部位から離れて制動が解除されるようにしてもよい。
また、上述のように操作している時だけ制動が掛かるようにしたり、レバー部材を制動方向に回転させた際、その回転が停止する位置付近でレバー部材がロックされ、測定テープがその位置で停止（固定）されるようにしてもよい。さらに、レバー部材がその他の位置すなわちロックされる位置以外にある時は、レバー部材が自動的に元の位置に復帰するようにしてもよい。
【００３０】
接触部材がテープリールまたは回転ドラムの周回部位への接触においては、接触部材をテープリールまたは回転ドラムの回転に対して略遠心方向に進退できるように設けてもよい。そして、接触部材の押圧をテープリールまたは回転ドラムの中心に向かうようにする。
また、接触部材をテープリールまたは回転ドラムの回転方向と略同一方向に進退できるように設けてもよい。すなわち、接触部材の進退方向の一方が周回部位へ接近且つ接触する方向となる。
さらには、接触部材をテープリールまたは回転ドラムの回転方向と略直角方向に進退できるように設けてもよい。すなわち、接触部材がテープリールまたは回転ドラムの周回部位上に位置する所で、接触部材が周回部位と接触させる。
【００３１】
制動手段を、テープリールまたは回転ドラムの任意の部位に設けられているディスクに接触する接触部材と、接触部材を巻尺ケースの外方から操作でき且つ巻尺ケースの任意の部位に設けた操作部材から構成してもよい。
また、制動手段を、テープリールまたは回転ドラムを支持し且つテープリールまたは回転ドラムと共に回転する支持部材に設けられているディスクに接触する接触部材と、接触部材を巻尺ケースの外方から操作でき且つ巻尺ケースの任意の部位に設けた操作部材から構成してもよい。
そして、上述のディスクはテープリールまたは回転ドラムと一体的に形成（成型）してもよい。また、支持部材と一体的に形成（成型）してもよい。
【００３２】
接触部材とは、測定テープの移動速度を減速さらには停止させるように作用するもので、テープリールまたは回転ドラムの任意の部位に設けられているディスク、あるいは、テープリールまたは回転ドラムを支持し且つテープリールまたは回転ドラムと共に回転する支持部材に設けられているディスクに接触する。接触部材が接触するディスクの部位としては、ディスクの回転面となるディスク側面がよい。そのディスク側面をディスクの両側から挟むようにするのがよい。
そして、上述のテープリールまたは回転ドラムを支持し且つテープリールまたは回転ドラムと共に回転する支持部材とは、テープリールまたは回転ドラムが取り付けられている軸である。
操作部材とは、接触部材を測定テープに接触させて測定テープに制動を掛ける際に操作する部材である。
【００３３】
そして、接触部材と操作部材は隣合せに設けたり、また、連結部材やアーム等の任意の部材を介在させて設けてもよい。その形態は、巻尺の構造や操作部材の巻尺ケースへの設置位置によって決定すればよい。さらには、接触部材と操作部材を一体的に形成（成型）してもよい。また、素材においても特に限定するものではない。接触部材はその全体を同一素材で形成してもよいが、ディスクと接触する部位に別素材からなる部材を設けてもよい。例えば、シュー等である。
【００３４】
操作部材の操作形態としては、操作部材をスライド可能に設けて、操作部材のスライド操作によって接触部材がディスクに接触して制動が掛かるようにし、また、操作部材を反対方向にスライドさせることによって接触部材がディスクから離れて制動が解除されるようにしてもよい。
また、上述のように操作している時だけ制動が掛かるようにしたり、操作部材を制動方向にスライドさせた際、そのスライドが停止する位置付近で操作部材がロックされ、測定テープがその位置で停止（固定）されるようにしてもよい。さらに、操作部材がその他の位置すなわちロックされる位置以外にある時は、操作部材が自動的に元の位置に復帰するようにしてもよい。
【００３５】
他の操作部材の操作形態としては、操作部材を軸と、軸の遠心方向に突出するアームを有するレバー部材から構成して、操作部材のアームを一方の方向に回転操作することによって接触部材がディスクに接触して制動が掛かるようにし、また、操作部材のアームを反対方向に回転操作することによって接触部材がディスクから離れて制動が解除されるようにしてもよい。
また、上述のように操作している時だけ制動が掛かるようにしたり、レバー部材を制動方向に回転させた際、その回転が停止する位置付近でレバー部材がロックされ、測定テープがその位置で停止（固定）されるようにしてもよい。さらに、レバー部材がその他の位置すなわちロックされる位置以外にある時は、レバー部材が自動的に元の位置に復帰するようにしてもよい。
【００３６】
制動手段を、テープリールまたは回転ドラムの任意の部位に設けられている凹部に係嵌可能な係嵌部材と、係嵌部材を巻尺ケースの外方から操作でき且つ巻尺ケースの任意の部位に設けた操作部材から構成してもよい。
また、制動手段を、テープリールまたは回転ドラムの任意の部位に設けたディスクの任意の部位に設けられている凹部に係嵌可能な係嵌部材と、係嵌部材を巻尺ケースの外方から操作でき且つ巻尺ケースの任意の部位に設けた操作部材から構成してもよい。
また、制動手段を、テープリールまたは回転ドラムを支持し且つテープリールまたは回転ドラムと共に回転する支持部材に設けたディスクの任意の部位に設けられている凹部に係嵌可能な係嵌部材と、係嵌部材を巻尺ケースの外方から操作でき且つ巻尺ケースの任意の部位に設けた操作部材から構成してもよい。
そして、上述のディスクはテープリールまたは回転ドラムと一体的に形成（成型）してもよい。また、支持部材と一体的に形成（成型）してもよい。
【００３７】
係嵌部材とは、測定テープを停止させるように作用するもので、テープリールまたは回転ドラムの任意の部位に設けられている凹部、あるいは、テープリールまたは回転ドラムに設けられているディスクの任意の部位に設けられている凹部、あるいは、テープリールまたは回転ドラムを支持し且つテープリールまたは回転ドラムと共に回転する支持部材に設けたディスクの任意の部位に設けられている凹部に係嵌する。その凹部は、テープリールまたは回転ドラムの周回部位（周縁や周回面）、あるいは、ディスクの周回部位（周縁や周回面）に設けてもよい。
そして、上述のテープリールまたは回転ドラムを支持し且つテープリールまたは回転ドラムと共に回転する支持部材とは、テープリールまたは回転ドラムが取り付けられている軸である。
操作部材とは、係嵌部材を凹部に係嵌させて測定テープを停止させる際に操作する部材である。
【００３８】
操作部材の操作形態としては、操作部材をスライド可能に設けて、操作部材のスライド操作によって係嵌部材の係嵌部位が凹部に係嵌してロックが掛かり、また、操作部材を反対方向にスライドさせることによって係嵌部材の係嵌部位が凹部から外れてロックが解除されるようにしてもよい。
また、係嵌部材の係嵌部位が凹部に係嵌する部位で操作部材がロックされるようにしてもよい。さらに、操作部材がその他の位置すなわちロックされる位置以外にある時は、操作部材が自動的に元の位置に復帰するようにしてもよい。
【００３９】
他の操作部材の操作形態としては、操作部材を軸と、軸の遠心方向に突出するアームを有するレバー部材から構成して、操作部材のアームを一方の方向に回転操作することによって係嵌部材の係嵌部位が凹部に係嵌してロックが掛かり、また、反対方向に回転させることによって係嵌部材の係嵌部位が凹部から外れてロックが解除されるようにしてもよい。
また、係嵌部材の係嵌部位が凹部に係嵌する部位で操作部材がロックされるようにしてもよい。さらに、操作部材がその他の位置すなわちロックされる位置以外にある時は、操作部材が自動的に元の位置に復帰するようにしてもよい。
【００４０】
制動手段を、巻尺を構成する任意の部材に設けられた係合部と、係合部に係合する係合部材と、係合部材を操作する操作手段から構成し、その操作手段を、回転伝達形態を選択する選択手段と兼用してもよい。
すなわち、選択手段によって行われるテープリールに巻回される測定テープの繰出し付勢力が回転ドラムの付勢手段の付勢力より勝る回転伝達形態と、回転ドラムの付勢手段の付勢力がテープリールに巻回される測定テープの繰出し付勢力より勝る回転伝達形態を選択する際、その所望の選択の後に選択手段を所定の位置、例えば移動範囲の中程や切り換えの中立の位置にすることによって係合部材が係合部に係合され、測定テープが停止するようにしてもよい。
【００４１】
係合部材とは、巻尺を構成する任意の部材に設けられている係合部に係着できるようになっている部材である。そして、係合部材また係合部材が係着する係合部も、それらの係合形態や係合部材また係合部の形状、そして設置位置等も巻尺の形態によって任意に設定すればよく、係合部材の係合部への係合によって測定テープが停止するようになっていればよい。
その係合部材は、所望の部材を新規に設けてたり、また、巻尺の既存の構成部材を利用してもよい。具体的には、回転伝達手段を構成する任意の歯車でもよい。
【００４２】
従って、本発明の巻尺は以上のように構成されているので、回転ドラムの付勢力がテープリールの測定テープの復帰力より強くなる歯車比（回転比率）の第１歯合の状態であれば、回転ドラムは付勢手段によって常に一方の方向に回転力が付され、従って、テープリールをも常に一方の方向に回転させている。すなわち、テープリールの任意の部位に巻回する測定テープを、常にその巻回部位に保持する状態となる。
【００４３】
そして、テープリールの測定テープの復帰力が回転ドラムの付勢力より強くなる歯車比の第２歯合の状態とすれば、テープリールの任意の部位に巻回する測定テープの直状復帰力（繰出し力）により、テープリールは測定テープによって常に一方の方向に回転力が付され、従って、測定テープはテープリールと回転ドラムを回転させながらその巻回部位から略直線状に一方向へ繰出す。すなわち、測定テープの出入口からケース外に繰出す。その繰出しは、第２歯合の状態において測定テープの直状復帰力（繰出し力）と回転ドラムの付勢力が釣合うまで行われる。しかして、繰出し長さは任意の抑制部材の配設位置によって決定される。
【００４４】
そして、回転ドラムの付勢力がテープリールの測定テープの直状復帰力（繰出し力）より強くなる第１歯合の状態に戻すことにより、回転ドラムの回転と共にテープリールも回転し、繰出した測定テープはテープリールの巻回部位に巻き取られて保持される。
【００４５】
巻尺に、繰り出されている測定テープを任意の位置で停止できる制動手段が設けられているものは、スライダーやレバー等の操作部材を測定テープに制動が掛かる方向にスライド操作あるいは回転操作することにより、操作部材に接続する接触部材が測定テープまたはテープリールまたは回転ドラムまたはディスクの任意の部位に接触（摺動）し、そのスライド操作あるいは回転操作の操作力によって測定テープの速度を減速さらには停止させる。
【００４６】
また、凹部がテープリールまたは回転ドラムまたはディスクの任意の部位に形成されたものは、操作部材をスライド操作あるいは回転操作することによって操作部材に接続する接触部材の任意の部位が凹部に係嵌して測定テープを停止させる。そして、操作部材制動操作を解除することにより、測定テープの繰り出しまたは引き込みが可能となる。
【００４７】
さらに、第１歯合または第２歯合の状態を選択するための選択手段に測定テープの制動機能が付加されているものは、選択手段によって第１歯合または第２歯合を選択した後、その選択手段を移動範囲の中程の位置にすることによって係合部材が係合部に係合されて測定テープを停止させる。そして、選択手段によって第１歯合または第２歯合が選択されると係合部材の係合部への係合が解除され、測定テープの繰り出しまたは引き込みが可能となる。
【発明の効果】
【００４８】
本発明の巻尺は以上のように構成されているので、外部動力を必要とすることなく、歯車の切換操作一つで、測定テープをケース内から自動で繰り出させまた自動でケース内に引き込ませることができる。従って、狭い場所で比較的短い寸法を立て続けに何回も測定する作業でも、指に負担を掛けることなく楽に行うことができる。
そして、測定テープを任意の位置で停止できる制動手段を設けているものは、繰り出される測定テープまたは引き込まれる測定テープを減速させたりまたは所望の位置で停止させることができるので測定作業を楽に行える。
【発明を実施するための最良の形態】
【００４９】
本発明の巻尺を以下図面に従って説明すると、図１および図２は、巻尺の内部機構を示す図である。本図は、テープリール１と回転ドラム２の回転比率の変化を回転伝達手段によって行うものである。
図１は、テープリール１の大径歯車１ｃと回転ドラム２の小径歯車２ｂとの第１歯合を示すもので、すなわち、測定テープ１ｅを巻き取り保持する際の歯合状態である。図２は、テープリール１の小径歯車１ｂと回転ドラム２の大径歯車２ｃとの第２歯合を示すもので、すなわち、測定テープ１ｅを繰り出す際の歯合状態である。
【００５０】
１はテープリール、１ａは軸で、テープリール１を構成する小径歯車１ｂと大径歯車１ｃが軸支されており、小径歯車１ｂと大径歯車１ｃは同期的に回転する。１ｄは測定テープ１ｅを巻回する回転胴部であり、回転胴部は軸１ａに遊嵌している。１ｆは測定テープ１ｅの先端に設けた係止片、１ｇはテープリール１と回転ドラム２の歯合状態（第１歯合／第２歯合）を変えるための操作部（選択手段）、
１ｈは測定テープ１ｅの繰出口への方向を案内するためのガイドで、本図に示すものはローラーである。１ｉは軸１ａ方向に移動する大径歯車１ｃの回転を回転胴部１ｄに伝達するための係合ピン、１ｊは測定テープ１ｅの繰り出し方向を案内するためのガイドである。３はテープリール１と回転ドラム２とガイド１ｈとガイド１ｊの各部材を支持するための支持体である。
２は回転ドラム、２ａは軸で、回転ドラム２を構成する小径歯車２ｂと大径歯車２ｃが軸支されており、小径歯車２ｂと大径歯車２ｃは同期的に回転する。２ｄは付勢手段となるコイルバネ２ｅ（図３参照）を収容する収容部である。
【００５１】
図３は、回転ドラム内の側面図であり、本図は、コイルバネ２ｅの飛び出しを防止する蓋を取り外した状態のものである。
付勢手段となるコイルバネ２ｅがバネ収容部２ｄ内に収容されており、２ｆは内係止端で、コイルバネ２ｅの内端を軸２ａに係止する部位である。２ｇは外係止端で、コイルバネ２ｅの外端をバネ収容部２ｄに係止する部位である。２ｃは大径歯車である。
【００５２】
図４は、テープリールの側面図であり、回転胴部１ｄに測定テープ１ｅが巻回されており、測定テープ１ｅはガイド１ｈによって繰出口への方向を案内され、その測定テープ１ｅは繰り出し方向を案内するためのガイド１ｊによって繰り出し方向が案内される。１ｆは測定テープ１ｅの先端に設けた係止片である。
１ｉは大径歯車１ｃの回転を回転胴部１ｄに伝達するための係合ピン、１ｃは大径歯車である。
【００５３】
図５は、測定テープ巻き取り時の回転ドラム内のコイルバネ状態を示す図で、図６は、図５のコイルバネ状態時のテープリールの測定テープ状態を示す図である。
この時のテープリール１と回転ドラム２との歯合は、テープリール１の大径歯車１ｃと回転ドラム２の小径歯車２ｂが歯合している時であり、すなわち、回転ドラム２のコイルバネ２ｅの付勢力が、テープリール１の測定テープ１ｅの復帰力より強くなる歯車比の歯合で、回転ドラム２はコイルバネ２ｅによって常に一方の方向に回転力が付され、従って、テープリール１をも常に一方の方向に回転させている。これにより、テープリール１の回転胴部１ｄに巻回する測定テープ１ｅを常にその回転胴部１ｄに巻回保持する状態となる。
【００５４】
図７は、測定テープ繰出し時の回転ドラム内のコイルバネ状態を示す図で、図８は、図７のコイルバネ状態時のテープリールの測定テープ状態を示す図である。
この時のテープリール１と回転ドラム２との歯合は、テープリール１の小径歯車１ｂと回転ドラム２の大径歯車２ｃが歯合している時であり、すなわち、テープリール１の回転胴部１ｄに巻回する測定テープ１ｅの直状復帰力が回転ドラム２のコイルバネ２ｅの付勢力より強くなる歯車比の歯合で、テープリール１は測定テープ１ｅによって常に一方の方向に回転力が付され、従って、測定テープ１ｅはテープリール１と回転ドラム２を回転させながらその回転胴部１ｄから略直状的に一方向へ繰出される。
【００５５】
図９は、歯合操作手段の一構造例を示す一部拡大図であり、すなわち、テープリール１と回転ドラム２の歯合を変える操作を行うための選択手段の構造の一例を示すもので、ハンドル１ｌの操作によって行うものである。
ハンドル１ｌの先端が、テープリール１を軸止する軸１ａの先端に軸１ｋによって遊嵌され、また、ハンドル１ｌの支点が軸１ｍによって支持部材に軸止されているものである。
【００５６】
図１０は、内部機構の一構造例を示す図で、図１１は、図１０の回転胴部の側面図である。
本図は、テープリール１部の軸１ａ方向に移動する大径歯車１ｃの回転を回転胴部１ｄに伝達するための構造の一例で、大径歯車１ｃに固定した伝達歯車１ｎと回転胴部１ｄの軸が通る孔の内周に形成した受歯車１ｏを歯合させたものである。伝達歯車１ｎは大径歯車１ｃの軸１ａ方向への移動距離より長く形成して、大径歯車１ｃが回転胴部１ｄと最も離れても受歯車１ｏとの歯合が外れないようにする。
【００５７】
図１２は、他の形態の巻尺の内部機構を示す図であり、本図は、テープリール１と回転ドラム２の回転比率の変化を、テープリール１側に設けたトランスミッション部３ａによって行うものである。
１はテープリール、１ａは軸で、プーリー１ｐが軸支されている。１ｄは測定テープ１ｅを巻回する回転胴部であり、回転胴部は軸１ａａに軸支している。１ｆは測定テープ１ｅの先端に設けた係止片、１ｈは測定テープ１ｅの繰出口への方向を案内するためのガイドで、本図に示すものはローラーである。１ｊは測定テープ１ｅの繰り出し方向を案内するためのガイドである。２は回転ドラム、２ａは軸で、プーリー２ｈが軸支されている。そして、プーリー１ｐとプーリー２ｈ間にベルト２ｉが架け渡されて回転が伝達される。２ｄは付勢手段となるコイルバネ２ｅ（図３参照）を収容する収容部である。３は各部材を支持するための支持体である。
【００５８】
図１３および図１４は、図２のトランスミッション部の内部構造の一例を示す図である。図１３は、測定テープ１ｅを巻き取り保持している際のトランスミッション部内の歯車の歯合状態である。図１４は、測定テープ１ｅを繰り出す際のトランスミッション部内の歯車の歯合状態である。
１ａ／１ａａは軸で、また、この軸１ａと軸１ａａは連結するものではなく、軸１ａの回転は軸１ａａに直接伝達はされず、回転はトランスミッション部３ａ内の小径歯車３ｂと大径歯車３ｃの各歯車を経由して伝達される。３ｅは軸１ａ／軸１ａａの軸受、３ｄは小径歯車３ｂ／大径歯車３ｃの歯合を変えるための操作レバーである。
【００５９】
図１５および図１６は、半ケースを取り除いた巻尺の一例を示す側面図である。
図１５は、回転ドラム２のコイルバネ２ｅの付勢力がテープリール１の測定テープ１ｅの復帰力より強くなる歯車比（回転比率）の第１歯合の状態、すなわち、測定テープ１ｅをケース４内に引き込んでいる図で、図１６は、テープリール１の測定テープ１ｅの復帰力が回転ドラム２のコイルバネ２ｅの付勢力より強くなる歯車比（回転比率）の第２歯合の状態、すなわち、測定テープ１ｅをケース４外に繰り出している図である。また、本図の巻尺は、係止片１ｆをテープ出入口４１に係着する形態のものである。
４は片側の半ケースで、この半ケース４内に機構部が収容されている。４１は測定テープ１ｅが出入するテープ出入口、４２は測定テープ１ｅのテープ出入口４１までを案内する案内条である。１ｆは測定テープ１ｅの先端に設けられる係止片で、測定の際に測定部材に引掛けて使用するものである。
【００６０】
図１７は、図１６の巻尺の内部正面図であり、１ａは軸、１ｂはテープリール１を構成する小径歯車、１ｃはテープリール１を構成する大径歯車、１ｄは測定テープ１ｅを巻回する回転胴部、１ｆは測定テープ１ｅの先端に設けた係止片、１ｇはテープリール１と回転ドラム２の歯合状態（第１歯合／第２歯合）を変えるための操作部、１ｈは測定テープ１ｅのテープ出入口４１への方向を案内するためのガイド、１ｉは軸１ａ方向に移動する大径歯車１ｃの回転を回転胴部１ｄに伝達するための係合ピン、２ｃは回転ドラム２を構成する大径歯車、２ｄは付勢手段となるコイルバネ２ｅ（図３参照）を収容する収容部である。
【００６１】
図１８および図１９は、半ケースを取り除いた巻尺の一例を示す側面図である。
図１８は、回転ドラム２のコイルバネ２ｅの付勢力がテープリール１の測定テープ１ｅの復帰力より強くなる歯車比（回転比率）の第１歯合の状態、すなわち、測定テープ１ｅをケース４内に引き込んでいる図で、図１９は、テープリール１の測定テープ１ｅの復帰力が回転ドラム２のコイルバネ２ｅの付勢力より強くなる歯車比（回転比率）の第２歯合の状態、すなわち、測定テープ１ｅをケース４外に繰り出している図である。また、本図の巻尺は、係止片１ｆをテープ出入口４１内、すなわち、ケース内に引き入れる形態のものである。
４は片側の半ケースで、この半ケース４内に機構部が収容されている。４１は測定テープ１ｅが出入するテープ出入口、４２は測定テープ１ｅのテープ出入口４１までを案内する案内条である。１ｆは測定テープ１ｅの先端に設けられる係止片で、測定の際に測定部材に引掛けて使用するものである。
【００６２】
図２０は、他の形態の半ケースを取り除いた巻尺の一例を示す側面図であり、本図の巻尺は、測定テープ１ｅのテープ出入口４１への方向を案内するためのガイド１ｈを省いたものである。他の図に示す実施例にはガイド１ｈを設けたものが示されているが、このガイド１ｈは、測定テープ１ｅの繰出しをよりスムースにするために付加されるものであり、特に設置しなくとも測定テープ１ｅは繰出される。しかしながら、少なくとも測定テープ１ｅがテープリール１の回転胴部１ｄから離れる部位に近接して任意のガイドを設ける。本図は、そのガイドとして案内条４２を設けている。
【００６３】
図２１は、他の形態の半ケースを取り除いた巻尺の一例を示す側面図であり、本図の巻尺は、係止片１ｆをテープ出入口４１に係着する形態のものである。
測定テープ１ｅは案内条４２と案内壁４３によってテープ出入口４１までを案内される。４は片側の半ケース、４１は測定テープ１ｅが出入するテープ出入口、４２は案内条、４３は案内壁、１ｆは測定テープ１ｅの先端に設けられる係止片、で、測定の際に測定部材に引掛けて使用するものである。
【００６４】
図２２は、測定テープの制動手段を設けた巻尺の一例を示す図であり、５は巻尺のケース、６は測定テープに制動を掛けるためのスライダー、１ｅは測定テープ、１ｆは係止片である。（ａ）図は、スライダー６をケース５の前壁に設けた形態を示すものである。（ｂ）図は、スライダー６を縦長の巻尺のケース５の側壁に設けた形態を示すものである。（ｃ）図は、（ａ）図と同様にスライダー６をケース５の前壁に設けていると共に、測定テープが出入りするテープ出入口の上方に設けている。（ｄ）図は、（ａ）図と同様にスライダー６をケース５の前壁に設けているが、スライダー６は測定テープが出入りするテープ出入口の鉛直方向から偏位させて設けている。
図では示していないが、スライダー６は任意の案内手段や支持手段によって進退移動できるように設けられている。
【００６５】
図２３は、測定テープの制動手段を設けた巻尺の一例を示す図であり、５は巻尺のケース、７は測定テープに制動を掛けるためのレバー、１ｅは測定テープ、１ｆは係止片である。（ａ）図は、レバー７をケース５の側壁に設けた形態を示すものである。（ｂ）図は、レバー７を縦長の巻尺のケース５の側壁に設けた形態を示すものである。（ｃ）図は、レバー７をケース５の前壁に設けた形態を示すものである。
図では示していないが、レバー７は任意の案内手段や支持手段によって回動できるように設けられている。
【００６６】
図２４から図３０は、制動部位の一例を示す図である。図では示していないが、接触片９は任意の案内手段や支持手段によって進退移動できるように設けられている。
図２４は、測定テープ１ｅに接触片９を押し当てることによって測定テープ１ｅを減速させたりまた停止させるものである。接触片９は矢印の方向に進退移動する。４２は測定テープ１ｅのテープ出入口４１までを案内する案内条であると共に、接触片９が測定テープ１ｅに押し当てられた際に測定テープ１ｅを支える受支部材となる。１ｄはテープリール１の回転胴部である。
【００６７】
図２５の（ａ）図は、テープリール１の回転胴部１ｄの周縁に接触片９を押し当てることによって測定テープ１ｅを減速させたりまた停止させ、また、（ｂ）図は、回転ドラム２のバネ収容部２ｄの周縁に接触片９を押し当てることによって測定テープ１ｅを減速させたりまた停止させるものである。
接触片９は、矢印のように回転胴部１ｄまたはバネ収容部２ｄの周縁に対し鉛直方向に進退移動する。
【００６８】
図２６の（ａ）図は、テープリール１の回転胴部１ｄの周縁に接触片９を押し当てることによって測定テープ１ｅを減速させたりまた停止させ、また、（ｂ）図は、回転ドラム２のバネ収容部２ｄの周縁に接触片９を押し当てることによって測定テープ１ｅを減速させたりまた停止させるものである。
接触片９は、接触片９は矢印のように回転胴部１ｄまたはバネ収容部２ｄの周縁に対し斜め方向に進退移動する。
【００６９】
図２７の（ａ）図は、回転ドラム２のバネ収容部２ｄの周縁に接触片９を押し当てることによって測定テープ１ｅを減速させたりまた停止させ、また、（ｂ）図は、テープリール１の回転胴部１ｄの周縁に接触片９を押し当てることによって測定テープ１ｅを減速させたりまた停止させるものである。
接触片９は、矢印のようにバネ収容部２ｄまたは回転胴部１ｄの周縁に対し斜め方向に進退移動する。
【００７０】
図２８の（ａ）図は、回転ドラム２のバネ収容部２ｄの側面に接触片９を押し当てることによって測定テープ１ｅを減速させたりまた停止させ、また、（ｂ）図は、テープリール１の回転胴部１ｄの側面に接触片９を押し当てることによって測定テープ１ｅを減速させたりまた停止させるものである。
接触片９は、矢印のようにバネ収容部２ｄまたは回転胴部１ｄの側面に対し鉛直方向に進退移動する。
【００７１】
図２９の（ａ）図は、回転ドラム２のバネ収容部２ｄの側面に設けたディスク８の側面に接触片９を押し当てることによって測定テープ１ｅを減速させたりまた停止させ、また、（ｂ）図は、テープリール１の回転胴部１ｄの側面に設けたディスク８の側面に接触片９を押し当てることによって測定テープ１ｅを減速させたりまた停止させるものである。また、ディス８クは、バネ収容部２ｄまたは回転胴部１ｄと別体で設けてもまた一体的に設けてもよい。
接触片９は、矢印のようにディスク８の側面に対し鉛直方向に進退移動する。
【００７２】
図３０の（ａ）図は、回転ドラム２のバネ収容部２ｄの側面を一対の接触片９で挟むことによって測定テープ１ｅを減速させたりまた停止させるものである。また、図に示してはいないが、テープリール１の回転胴部１ｄの側面を一対の接触片９で挟むことによって測定テープ１ｅを減速させたりまた停止させるようにしてもよい。接触片９は、矢印のようにバネ収容部２ｄの側面に対し鉛直方向に進退移動する。
（ｂ）図は、軸１ａに設けたディスク８の側面を一対の接触片９で挟むことによって測定テープ１ｅを減速させたりまた停止させるものである。接触片９は、矢印のようにディスク８の側面に対し鉛直方向に進退移動する。
【００７３】
図３１から図３８は、制動操作形態の一例を示す図である。
図３１は、進退移動するスライダー６を操作して接触片９を測定テープ１ｅに押し当て制動を掛けるものである。（ａ）図は、制動を掛ける前の状態で、（ｂ）図は、制動を掛けた状態である。
６１はスライダー６と接触片９を連結しているアームである。スライダー６／アーム６１／接触片９は別体で形成したりまた一体的に形成してもよい。本図の形態は、図２２に示すように巻尺ケース５に設けられる。アーム６１は、巻尺の内部構造によって任意の形状に形成される。テープリール１または回転ドラム２等の周回面に任意の距離を置き長手方向に湾曲した形状で設けられたり、あるいは、直線的な形状で設けられる。図では示していないが、アーム６１の進退方向を案内するガイドを設けてもよい。
【００７４】
図３２は、進退移動するスライダー６を操作して接触片９を測定テープ１ｅに押し当て制動を掛けるものである。（ａ）図は、制動を掛ける前の状態で、（ｂ）図は、制動を掛けた状態である。
スライダー６と接触片９は別体で設けられ、スライダー６の移動によってスライダー６の作動部６２によって接触片９がテープリール１の回転胴部１ｄの周縁に押し当てられる。
【００７５】
図３３は、進退移動するスライダー６を操作して接触片９を測定テープ１ｅに押し当て制動を掛けるものである。（ａ）図は、制動を掛ける前の状態で、（ｂ）図は、制動を掛けた状態である。
スライダー６と接触片９は一体的に設けられ、スライダー６の移動によって接触片９がテープリール１の回転胴部１ｄの周縁に押し当てられる。
【００７６】
図３４は、進退移動するスライダー６を操作して一対の接触片９でディスク８の側面を挟むことによって測定テープ１ｅに制動を掛けるものである。（ａ）図は、制動を掛ける前の状態で、（ｂ）図は、制動を掛けた状態である。
スライダー６と接触片９は別体で設けられ、スライダー６の移動により且つスライダー６のアーム６１によって一対の接触片９がディスク８の側面を挟む。
【００７７】
図３５は、回動するレバー７を操作して接触片９を測定テープ１ｅに押し当て制動を掛けるものである。（ａ）図は、制動を掛ける前の状態で、（ｂ）図は、制動を掛けた状態である。
７１はレバー７と接触片９を連結しているアームである。レバー７／アーム７１／接触片９は別体で形成したりまた一体的に形成してもよい。本図の形態は、図２３に示すように巻尺ケース５に設けられる。アーム７１は、巻尺の内部構造によって任意の形状に形成される。テープリール１または回転ドラム２等の周回面に任意の距離を置き長手方向に湾曲した形状で設けられたり、あるいは、直線的な形状（本図の形状）で設けられる。７２はアーム７１の進退方向を案内するガイドである。
【００７８】
図３６は、進退移動するスライダー６を操作して係嵌片１０の係嵌部をテープリール１の回転胴部１ｄの周縁に形成された凹部１１に嵌着し、測定テープ１ｅに制動を掛けるものである。嵌着によって測定テープ１ｅは任意の位置で停止する。（ａ）図は、制動を掛ける前の状態で、（ｂ）図は、制動を掛けた状態である。
スライダー６と係嵌片１０は別体で設けられ、スライダー６の移動によってスライダー６の作動部６２によって係嵌片１０がテープリール１の回転胴部１ｄの周縁に形成された凹部１１に嵌着される。
【００７９】
図３７は、回動するレバー７を操作して係嵌片１０の係嵌部をテープリール１の回転胴部１ｄの任意の側の側面に形成された凹部１１に嵌着し、測定テープ１ｅに制動を掛けるものである。嵌着によって測定テープ１ｅは任意の位置で停止する。（ａ）図は、制動を掛ける前の状態で、（ｂ）図は、制動を掛けた状態である。
７１はレバー７と係嵌片１０を連結しているアームである。レバー７／アーム７１／係嵌片１０は別体で形成したりまた一体的に形成してもよい。
【００８０】
図３８は、テープリール１と回転ドラム２の歯合状態（第１歯合または第２歯合の状態）を選択するための選択手段（操作部１ｇ）を、その移動範囲の中程にすることにより、小径歯車１ｂと係合片１２が係合して測定テープ１ｅに制動が掛かるようにしたものである。小径歯車１ｂと係合片１２の係合によって測定テープ１ｅは任意の位置で停止する。
（ａ）図は、テープリール１の大径歯車１ｃと回転ドラム２の小径歯車２ｂとの第１歯合を示すもので、すなわち、測定テープ１ｅを巻き取り保持する際の歯合状態である。選択手段（操作部１ｇ）によって切り換えられる。
（ｂ）図は、テープリール１の小径歯車１ｂと回転ドラム２の大径歯車２ｃとの第２歯合を示すもので、すなわち、測定テープ１ｅを繰り出す際の歯合状態である。選択手段（操作部１ｇ）によって切り換えられる。
（ｃ）図は、選択手段（操作部１ｇ）を、その移動範囲の中程にしている状態を示すものであり、小径歯車１ｂと係合片１２が係合した状態である。測定テープ１ｅは任意の位置で停止する。
【図面の簡単な説明】
【００８１】
【図１】巻尺の内部機構を示す図
【図２】巻尺の内部機構を示す図
【図３】回転ドラム内の側面図
【図４】テープリールの側面図
【図５】測定テープ巻き取り時の回転ドラム内のコイルバネ状態を示す図
【図６】図５のコイルバネ状態時のテープリールの測定テープ状態を示す図
【図７】測定テープ繰出し時の回転ドラム内のコイルバネ状態を示す図
【図８】図７のコイルバネ状態時のテープリールの測定テープ状態を示す図
【図９】歯合操作手段の一構造例を示す一部拡大図
【図１０】内部機構の一構造例を示す図
【図１１】図１０の回転胴部の側面図
【図１２】他の形態の巻尺の内部機構を示す図
【図１３】図２のミッション部の内部構造の一例を示す図
【図１４】図２のミッション部の内部構造の一例を示す図
【図１５】半ケースを取り除いた巻尺の一例を示す側面図
【図１６】半ケースを取り除いた巻尺の一例を示す側面図
【図１７】図１３の巻尺の内部正面図
【図１８】半ケースを取り除いた巻尺の一例を示す側面図
【図１９】半ケースを取り除いた巻尺の一例を示す側面図
【図２０】他の形態の半ケースを取り除いた巻尺の一例を示す側面図
【図２１】他の形態の半ケースを取り除いた巻尺の一例を示す側面図
【図２２】測定テープの制動手段を設けた巻尺の一例を示す図
【図２３】測定テープの制動手段を設けた巻尺の一例を示す図
【図２４】制動部位の一例を示す図
【図２５】制動部位の一例を示す図
【図２６】制動部位の一例を示す図
【図２７】制動部位の一例を示す図
【図２８】制動部位の一例を示す図
【図２９】制動部位の一例を示す図
【図３０】制動部位の一例を示す図
【図３１】制動操作形態の一例を示す図
【図３２】制動操作形態の一例を示す図
【図３３】制動操作形態の一例を示す図
【図３４】制動操作形態の一例を示す図
【図３５】制動操作形態の一例を示す図
【図３６】制動操作形態の一例を示す図
【図３７】制動操作形態の一例を示す図
【図３８】制動操作形態の一例を示す図
【符号の説明】
【００８２】
１−テープリール，１ａ−軸，１ａａ−軸，１ｂ−小径歯車，１ｃ−大径歯車，１ｄ−回転胴部，１ｅ−測定テープ，１ｆ−係止片，１ｇ−操作部，１ｈ−ガイド，１ｉ−係合ピン，１ｊ−ガイド，１ｋ−軸，１ｌ−ハンドル，１ｍ−軸，１ｎ−伝達歯車，１ｏ−受歯車，１ｐ−プーリー，２−回転ドラム，２ａ−軸，２ｂ−小径歯車，２ｃ−大径歯車，２ｄ−バネ収容部，２ｅ−コイルバネ，２ｆ−内係止端，２ｇ−外係止端，２ｈ−プーリー，２ｉ−ベルト，３−支持体，３ａ−トランスミッション部，３ｂ−小径歯車，３ｃ−大径歯車，３ｄ−操作レバー，３ｅ−軸受，４−半ケース，４１−テープ出入口，４２−案内条，４３−案内壁，５−ケース，６−スライダー，６１−アーム，６２−作動部，７−レバー，７１−アーム，７２−ガイド，８−ディスク，９−接触片，１０−係嵌片，１１−凹部，１２−係合片，１３−支持体
【図１】
2006058167.tif 000003
【図２】
2006058167.tif 000004
【図３】
2006058167.tif 000005
【図４】
2006058167.tif 000006
【図５】
2006058167.tif 000007
【図６】
2006058167.tif 000008
【図７】
2006058167.tif 000009
【図８】
2006058167.tif 000010
【図９】
2006058167.tif 000011
【図１０】
2006058167.tif 000012
【図１１】
2006058167.tif 000013
【図１２】
2006058167.tif 000014
【図１３】
2006058167.tif 000015
【図１４】
2006058167.tif 000016
【図１５】
2006058167.tif 000017
【図１６】
2006058167.tif 000018
【図１７】
2006058167.tif 000019
【図１８】
2006058167.tif 000020
【図１９】
2006058167.tif 000021
【図２０】
2006058167.tif 000022
【図２１】
2006058167.tif 000023
【図２２】
2006058167.tif 000024
【図２３】
2006058167.tif 000025
【図２４】
2006058167.tif 000026
【図２５】
2006058167.tif 000027
【図２６】
2006058167.tif 000028
【図２７】
2006058167.tif 000029
【図２８】
2006058167.tif 000030
【図２９】
2006058167.tif 000031
【図３０】
2006058167.tif 000032
【図３１】
2006058167.tif 000033
【図３２】
2006058167.tif 000034
【図３３】
2006058167.tif 000035
【図３４】
2006058167.tif 000036
【図３５】
2006058167.tif 000037
【図３６】
2006058167.tif 000038
【図３７】
2006058167.tif 000039
【図３８】
2006058167.tif 000040